(57)【要約】【課題】複数のフォーマット情報を有することで、複数種のチューナ同士での付け替えが可能である受信装置としながらも、選定されたフォーマット情報や取り付けられたチューナが適切であるかを容易に検出し得る受信装置を提供する。【解決手段】チューナと、チューナに選局を指示するための指示情報を取得する、指示情報取得部と、チューナに対応するフォーマット情報を用いて、指示情報を選局信号に変換する変換部と、複数のフォーマット情報の集合である、フォーマット情報群を記憶する第１記憶部と、フォーマット情報群のうちから、実際に前記変換において使用するものを選定する選定部と、選定のなされているフォーマット情報が、チューナに対応しているか否かの判断；および、フォーマット情報群の中に、チューナに対応しているものが存在するか否かの判断；を実行するフォーマット情報管理部と、を備えた受信装置とする。【選択図】図３
2008078707.tif 000002
【特許請求の範囲】
【請求項１】
選局信号に基づいて、テレビ放送に係る信号の選局を行うチューナと、
前記チューナに選局を指示するための指示情報を取得する、指示情報取得部と、
前記チューナに対応するフォーマット情報を用いて、前記指示情報を前記選局信号に変換する変換部と、を備え、
前記指示情報に対応した選局を行うテレビ放送受信装置であって、
複数種類のフォーマット情報の集合である、フォーマット情報群を記憶する第１記憶部と；前記フォーマット情報群のうちから、実際に前記変換において使用するものを選定するとともに、該選定したフォーマット情報を、所定の第２記憶部に記憶させる選定部と；を備えるとともに、
前記選定のなされているフォーマット情報が、前記チューナに対応しているか否かを判断する第１ステップと；該第１ステップにおいて、前記選定のなされているフォーマット情報が、前記チューナに対応していないと判断されたとき、前記フォーマット群の中に、前記チューナに対応しているものが存在するか否かを判断する第２ステップと；該第２ステップにおいて、前記フォーマット情報群の中に、前記チューナに対応しているものが存在していると判断されたとき、前記選定手段に、前記チューナに対応しているフォーマット情報を選定させる第３ステップと；を含む処理を行うフォーマット情報管理部と、
前記第１ステップにおいて、前記選定のなされているフォーマット情報が、前記チューナに対応していると判断された場合に、所定の映像出力または音響出力を実行する第１出力手段と、
前記第２ステップにおいて、前記フォーマット情報群の中に、前記チューナに対応しているものがないと判断された場合に、所定の映像出力または音響出力を実行する第２出力手段と、
を更に備えたことを特徴とするテレビ放送受信装置。
【請求項２】
選局信号に基づいて放送信号の選局を行うチューナと、
前記チューナに選局を指示するための指示情報を取得する、指示情報取得部と、
前記チューナに対応するフォーマット情報を用いて、前記指示情報を前記選局信号に変換する変換部と、を備え、
前記指示情報に対応した選局を行う受信装置であって、
複数のフォーマット情報の集合である、フォーマット情報群を記憶する第１記憶部と、
前記フォーマット情報群のうちから、実際に前記変換において使用するものを選定する選定部と、
前記選定のなされているフォーマット情報が、前記チューナに対応しているか否かの判断；および、前記フォーマット情報群の中に、前記チューナに対応しているものが存在するか否かの判断；を実行するフォーマット情報管理部と、
を更に備えたことを特徴とする受信装置。
【請求項３】
前記フォーマット情報管理部は、
前記選定のなされているフォーマット情報が、前記チューナに対応しているか否かを判断する第１ステップと；
該第１ステップにおいて、前記選定のなされているフォーマット情報が、前記チューナに対応していないと判断されたとき、前記フォーマット群の中に、前記チューナに対応しているものが存在するか否かを判断する第２ステップと；
前記第２ステップにおいて、前記フォーマット群の中に、前記チューナに対応しているものが存在していると判断されたとき、前記選定手段に、前記チューナに対応しているフォーマット情報を選定させる第３ステップと；
を含む処理を実行することを特徴とする請求項２に記載の受信装置。
【請求項４】
前記選定手段は、
前記フォーマット情報群のうちの何れかを記憶する第２記憶部を備えており、
前記選定したフォーマット情報を、該第２記憶部に記憶させることを特徴とする請求項２または請求項３に記載の受信装置。
【請求項５】
前記第１ステップにおいて、前記選定のなされているフォーマット情報が、前記チューナに対応していると判断された場合に、所定の映像出力または音響出力を実行する第１出力手段と、
前記第２ステップにおいて、前記フォーマット情報群の中に、前記チューナに対応しているものがないと判断された場合に、所定の映像出力または音響出力を実行する第２出力手段と、
を備えたことを特徴とする請求項３に記載の受信装置。
【請求項６】
テレビ放送に係る信号を受信する、テレビ放送受信装置であることを特徴とする請求項２から請求項５の何れかに記載の受信装置。
【発明の詳細な説明】
【技術分野】
【０００１】
本発明は、例えばテレビ放送受信装置のように、チューナを備える受信装置に関する。
【背景技術】
【０００２】
従来、テレビ放送受信装置に代表されるチューナを備えた受信装置においては、チューナを他種のものと交換する場合等に備え、複数種類のチューナに適合し得るものが存在している。このような受信装置の一例について、図５にその構成図を示す。本図に示すように当該受信装置１０１は、操作部１１１、変換部１１２、メモリ部１１３、チューナ１１４、アンテナ１１５、信号処理部１１６、および出力部１１７などから構成されている。
【０００３】
操作部１１１は、例えばユーザによるボタン操作等を通じて、チューナ１１４に選局を指示するための情報（指示情報）を取得する。そして変換部１１２では、取得された指示情報を、実装しているチューナ１１４によって認識される形式の信号（選局信号）に変換し、チューナ１１４に伝送する。
【０００４】
一方、チューナ１１４では、受取った選局信号に基づいて受信チャンネルを設定する。これにより、アンテナ１１５を介して受信した放送信号から、選局されたチャンネルに係るものだけを抽出し、後段の信号処理部１１６へ出力する。そした信号処理部１１６では、受取った信号に基づいて映像・音響信号を生成し、出力部１１７を通じて映像や音響として出力する。
【０００５】
ここで変換部１１２にて実行される変換処理は、現時点で備えているチューナの仕様に対応したフォーマット情報に基づいて実行される。このフォーマット情報は、操作部１１１において得られた情報を、チューナ１１４が認識し得る形式の情報に変換するときの変換規則に相当する情報を含み、指示情報を選局信号に変換するために必要である。なおフォーマット情報は、チューナのメーカや仕様等の種類ごとに特化されており、対応するチューナに対する変換処理のみに用いられる。
【０００６】
以上により、例えば操作部１１１において選局に関わる所定のボタンが押下されたとき（ある指示情報が取得されることになる）、変換部１１２は、その意図を反映させた処理をチューナ１１４に行わせるように、選局信号を生成・出力することになる。
【０００７】
なおメモリ部１１３は図２に示すように、それぞれが各種のチューナに対応しているフォーマット情報の集合である、フォーマット情報群が記憶されている。そしてこのフォーマット情報群の中から、現時点で備えているチューナの仕様に対応しているものが、実際に変換処理に用いられるものに選ばれて設定（選定）されている。
【０００８】
上述した構成により、受信装置１０１は、操作部１１１の仕様（例えばボタンの種類や配置など）を変えずに、現状と異なる種類・仕様のチューナが新たに取り付けられても、これに容易に対応できるものとなっている。すなわち、チューナの種類によってその仕様や機能などが異なってはいるが、新たに取り付けられたチューナに対応したフォーマット情報を新たに選定すれば、指示情報を適切な選局信号に変換することができる。
【０００９】
なお上述のように、複数種類のチューナに対応できる受信装置とすれば、例えば、受信装置の製造工程においてＡ社製のチューナを採用していたところ、急にＢ社製のチューナを採用せざるを得なくなった場合などにおいても、容易に対応することが可能である。つまり上述した受信装置の場合では、変換処理に用いるフォーマット情報を、Ａ社製に対応しているものからＢ社製に対応しているものに更新するだけで対応できる。
【特許文献１】特表２００４−５０７９１１号公報
【特許文献２】特開平４−２３５４０８号公報
【特許文献３】特開２００４−１６５９７３号公報
【特許文献４】特開平１０−１０８０９５号公報
【特許文献５】特開平１０−１６４３９３号公報
【発明の開示】
【発明が解決しようとする課題】
【００１０】
上述したような受信装置では、取り付けるチューナの種類を変えた場合などにおいては、実際に変換処理に使用されるものに選定する（以下、フォーマット情報が、実際に変換処理に使用されるものに選定されることを、単に「選定される」と表現する）フォーマット情報も、チューナの種類に応じて適切に切り替えられる必要がある。また何らかの原因で誤ったフォーマット情報が選定された状況となった場合も、このことを的確に検知して適切に対処する（改めて正しいフォーマット情報を選定する）必要がある。
【００１１】
また、そもそも受信装置が対応できないチューナ（フォーマット情報群の何れによっても対応できないチューナ）が誤って受信装置に取り付けられた場合には、正しく選局処理を行うことができなくなる。そのためこの場合にも、かかる事態を的確に検知して適切に対処する（例えば、適正なチューナに付け替えなおす）必要がある。
【００１２】
そのため、選定されたフォーマット情報や、取り付けられたチューナが適切であるかを検出することが重要となる。また例えばチューナによって正常に放送信号が受信できない場合、これがフォーマット情報の選定の誤りに起因するものか、またそれ以外の理由によるものであるかを適切に判断するためにも、上述した検出を行うことは重要となる。
【００１３】
そこで本発明は、上記の問題に鑑みてなされたものであり、複数のフォーマット情報を有することで、複数種のチューナ同士での付け替えが可能である受信装置としながらも、選定されたフォーマット情報や取り付けられたチューナが適切であるかを容易に検出し得る受信装置を提供することを、その目的とするものである。
【課題を解決するための手段】
【００１４】
上記目的を達成するため、本発明による受信装置は、選局信号に基づいて放送信号の選局を行うチューナと、前記チューナに選局を指示するための指示情報を取得する、指示情報取得部と、前記チューナに対応するフォーマット情報を用いて、前記指示情報を前記選局信号に変換する変換部と、を備え、前記指示情報に対応した選局を行う受信装置であって、複数のフォーマット情報の集合である、フォーマット情報群を記憶する第１記憶部と、前記フォーマット情報群のうちから、実際に前記変換において使用するものを選定する選定部と、前記選定のなされているフォーマット情報が、前記チューナに対応しているか否かの判断；および、前記フォーマット情報群の中に、前記チューナに対応しているものが存在するか否かの判断；を実行するフォーマット情報管理部と、を更に備えた構成（第２の構成）とする。
【００１５】
本構成によれば、選定されているフォーマット情報がチューナに対応している場合、現状では対応していないがフォーマット情報群に対応するものが存在する場合、および、チューナに対応しているフォーマット情報がそもそもフォーマット情報群に存在しない場合の各々のケースに応じて、適切な処理を行うことが可能となっている。
【００１６】
そのため、複数のフォーマット情報を有することで、複数種のチューナ同士での付け替えが可能である受信装置としながらも、選定されたフォーマット情報や取り付けられたチューナが適切であるかを容易に検出することが可能となる。
【００１７】
また上記第２の構成において、前記フォーマット情報管理部は、前記選定のなされているフォーマット情報が、前記チューナに対応しているか否かを判断する第１ステップと；該第１ステップにおいて、前記選定のなされているフォーマット情報が、前記チューナに対応していないと判断されたとき、前記フォーマット群の中に、前記チューナに対応しているものが存在するか否かを判断する第２ステップと；を含む処理を行うとともに、前記第２ステップにおいて、前記フォーマット群の中に、前記チューナに対応しているものが存在していると判断されたとき、前記選定手段に、前記チューナに対応しているフォーマット情報を選定させる第３ステップと；を含む処理を実行する構成（第３の構成）としてもよい。
【００１８】
本構成によれば、フォーマット情報管理部が第１ステップから第３ステップを含む処理を実行することにより、上記第２の構成を容易に実現することができる。またさらに、第２ステップに先立ち第１ステップを実行することにしているから、選定のなされているフォーマット情報が、実装されているチューナに対応している場合には、第２ステップの処理を行う必要がない。そのため、かかる場合には第２ステップの処理を省略することで、無駄な処理の実行を極力回避することが可能となる。
【００１９】
また上記第２または第３の構成において、前記選定手段は、前記フォーマット情報群のうちの何れかを記憶する第２記憶部を備えており、前記選定したフォーマット情報を、該第２記憶部に記憶させる構成（第４の構成）としてもよい。
【００２０】
本構成によれば、選定されたフォーマット情報は第２記憶部に記憶されるから、例えば、変換処理においては一律に第２記憶部内のフォーマット情報を使用するように決めておくこと等ができ、画一的な処理による対応が可能となる。
【００２１】
また上記第３の構成において、前記第１ステップにおいて、前記選定のなされているフォーマット情報が、前記チューナに対応していると判断された場合に、所定の映像出力または音響出力を実行する第１出力手段と、前記第２ステップにおいて、前記フォーマット情報群の中に、前記チューナに対応しているものがないと判断された場合に、所定の映像出力または音響出力を実行する第２出力手段と、を備えた構成（第５の構成）としてもよい。
【００２２】
本構成によれば、第１出力手段と第２出力手段を備えているから、第１ステップもしくは第２ステップでの判断結果に応じた適切な出力をこれらの出力手段に行わせることで、よりユーザフレンドリーな受信装置を実現することが可能となる。
【００２３】
また上記第２から第５の何れかの構成において、例えば具体的には、テレビ放送に係る信号を受信する、テレビ放送受信装置である構成（第５の構成）としてもよい。
【００２４】
なお、選局信号に基づいて、テレビ放送に係る信号の選局を行うチューナと、前記チューナに選局を指示するための指示情報を取得する、指示情報取得部と、前記チューナに対応するフォーマット情報を用いて、前記指示情報を前記選局信号に変換する変換部と、を備え、前記指示情報に対応した選局を行うテレビ放送受信装置であって、複数種類のフォーマット情報の集合である、フォーマット情報群を記憶する第１記憶部と；前記フォーマット情報群のうちから、実際に前記変換において使用するものを選定するとともに、該選定したフォーマット情報を、所定の第２記憶部に記憶させる選定部と；を備えるとともに、前記選定のなされているフォーマット情報が、前記チューナに対応しているか否かを判断する第１ステップと；該第１ステップにおいて、前記選定のなされているフォーマット情報が、前記チューナに対応していないと判断されたとき、前記フォーマット群の中に、前記チューナに対応しているものが存在するか否かを判断する第２ステップと；該第２ステップにおいて、前記フォーマット情報群の中に、前記チューナに対応しているものが存在していると判断されたとき、前記選定手段に、前記チューナに対応しているフォーマット情報を選定させる第３ステップと；を含む処理を行うフォーマット情報管理部と、前記第１ステップにおいて、前記選定のなされているフォーマット情報が、前記チューナに対応していると判断された場合に、所定の映像出力または音響出力を実行する第１出力手段と、前記第２ステップにおいて、前記フォーマット情報群の中に、前記チューナに対応しているものがないと判断された場合に、所定の映像出力または音響出力を実行する第２出力手段と、を更に備えたテレビ放送受信装置（第１の構成）によれば、上記第２から第５までの構成における利点を享受し得る。
【発明の効果】
【００２５】
上記の通り、本発明の受信装置によれば、選定されているフォーマット情報がチューナに対応している場合、現状では対応していないがフォーマット情報群に対応するものが存在する場合、および、チューナに対応しているフォーマット情報がそもそもフォーマット情報群に存在しない場合の各々のケースに応じて、適切な処理を行うことが可能となっている。そのため、複数のフォーマット情報を有することで、複数種のチューナ同士での付け替えが可能である受信装置としながらも、選定されたフォーマット情報や取り付けられたチューナが適切であるかを容易に検出することが可能となる。
【発明を実施するための最良の形態】
【００２６】
以下に本発明の一実施形態として、テレビ放送受信装置（以下、単に「受信装置」と称す）を挙げて説明する。当該受信装置の構成図を、図１に示す。本図のように受信装置１は、操作部１１、変換部１２、メモリ部１３、チューナ１４、アンテナ１５、信号処理部１６、出力部１７、およびフォーマット情報管理部１８などを備えている。
【００２７】
操作部１１は、例えば複数の押しボタンスイッチを有しており、ユーザが自在に受信チャンネルの選局を行うことが可能となっている。これにより操作部では、ユーザによるボタン操作を通じて、ユーザによる選局指示の意図が反映された情報（選局指示情報）を取得し、この選局情報を後段に伝送する。なお操作部としては、他にリモコンからの信号を受信して選局情報を取得するもの等であってもよく、その態様は上記のものに限定されない。
【００２８】
変換部１２は、操作部１１から伝送された指示情報を受け、後述する選定されたフォーマット情報に基づいて、当該指示情報に対応した処理を後段のチューナ１４に行わせるための信号（選局信号）を生成する。つまり変換部１２は、操作部１１において取得された指示情報を、チューナ１４側が認識し得る選局信号に変換する役割を果たす。
【００２９】
より具体的に変換処理は、指示情報が入力されたとき、後述するメモリ部１３の選定フォーマット情報記憶部２２に記憶されているフォーマット情報に基づいて、指示情報に対応した選局信号を生成する。生成された選局信号は、後段のチューナ１４に出力される。
【００３０】
メモリ部１３は、変換部１２における変換処理に必要なフォーマット情報などを記憶する。図２に、メモリ部１３の内容を模式的に示す。図のようにメモリ部１３は、各種のフォーマット情報（フォーマット情報１からフォーマット情報Ｎ）を記憶するフォーマット情報群記憶部２１と、これら各種のフォーマット情報のうち、実際に変換処理に用いられるものとして選ばれ設定された（選定された）フォーマット情報のみを記憶する、選定フォーマット情報記憶部２２を有している。なお図２は、フォーマット情報群のうちの一つである、「フォーマット情報２」が選定されている状態を示している。
【００３１】
ここでフォーマット情報は、指示情報を選局信号に変換するための規則に係る情報を含んでおり、操作部１１において得られた情報を、チューナ１４が認識し得る形式の情報に変換するために必要である。フォーマット情報の具体的内容としては、対応するチューナ１４のＩＤ、スレーブアドレス（チューナ側のアドレス）、指示情報を選局信号に変換する際の変換規則、リファレンスカウンタ等がある。
【００３２】
なおフォーマット情報はチューナのメーカや仕様等の種類ごとに特化されており、対応するチューナに対する変換処理のみに用いられる。従ってチューナを取り替えた際には、原則として、新たに取り付けられたチューナに対応したフォーマット情報を選定しなおす必要がある。
【００３３】
そのためフォーマット情報群記憶部２１は、種々のチューナの何れかが取り付けられても対応できるように、複数種類のフォーマット情報を記憶している。これにより、現時点で受信装置１に備えられているチューナ１４が、他の種類のチューナに取り替えられる場合であっても、このチューナに対応するフォーマット情報がフォーマット情報群の中に含まれていれば、選定フォーマット情報記憶部２２の記憶内容を更新する（選定しなおす）ことにより、適切な変換処理が実行できる。
【００３４】
またチューナは１４、アンテナ１５を介してテレビ放送に係る信号を取得する。また変換部１２とはＩＩＣバス［Inter IC BUS］により接続されており、マスター側の変換部１２とスレーブ側のチューナ１４は、互いに信号の受け渡しが可能である。これによりチューナ１４は、変換部１２から選局信号を受取り、選局処理（所定チャンネルの放送信号のみを通過させるように設定）を実行する。
【００３５】
その結果チューナ１４は、放送信号のうち選局信号により特定されるチャンネル（周波数）の信号のみを抽出して、後段の信号処理部１６に出力する。またチューナ１４は、受信装置１の本体に着脱可能に取り付けられており、他の仕様のチューナと交換することができるようになっている。
【００３６】
信号処理部１６は、チューナ１５から受取った信号に所定の処理を施すことにより、映像情報および音響情報を取得し、これらの情報を後段の出力部１７に伝える。また出力部１７は、ディスプレイやスピーカが備えられており、信号処理部１６から受取る情報に基づいて映像出力ならびに音響出力を実行する。
【００３７】
またフォーマット情報管理部１８は、フォーマット情報の管理に関する処理を行う。より具体的には、選定されているフォーマット情報が実装されているチューナ１４に対応しているか否か、および、実装されているチューナ１４に対応するフォーマット情報がフォーマット情報群に含まれているか否かを所定時に判断し、その判断結果に応じた処理を行う。フォーマット情報管理部１８の処理については、改めて詳述する。
【００３８】
以上に説明した構成により受信装置１は、指示情報により選局されたチャンネルのテレビ放送について、映像ならびに音響を出力することが可能となっている。次に先述したフォーマット情報管理部１８が実行する処理の流れについて、図３のフローチャートを参照しながら説明する。
【００３９】
フォーマット情報管理部１８は、通常時、信号処理部１６において映像情報もしくは音響情報が適切に取得されているかを監視している（ステップＳ１１）。つまりかかる監視により、チューナ１４において適切に選局が行われ、選局された放送信号が適切に信号処理部１６に伝送されているかを、間接的に監視している。なおこの監視は、例えば映像情報に所定レベル以上のスノーノイズが混入しているか否かを検出することにより行う等、種々の方法を採用しうる。
【００４０】
そしてステップＳ１１での監視により、所定の情報が適切に取得されていないことが判明した場合（ステップＳ１１のＮ）、この要因の一つとして、フォーマット情報の選定が不適切であることが考えられる。つまり、選定内容が不適切であるために、指示情報が適切な（チューナ１４が認識できる）選局信号に変換されておらず、その結果チューナ１４が誤作動を起こしている可能性が考えられる。そこでこの場合は、現在選定されているフォーマット情報が、実装されているチューナ１４に対応しているか否かを判別する処理（自動判別処理）を実行する（ステップＳ１２）。
【００４１】
この自動判別処理では、まず選定されているフォーマット情報から、対応するチューナ１４のＩＤ情報を読み出すとともに、実装されているチューナ１４にアクセスして、該チューナのＩＤ情報を読み出す。そしてその後、これら双方のＩＤ情報が一致しているか否かを判断することとする。一致していれば、現在選定されているフォーマット情報は、実装されているチューナ１４に対応していると認められる。
【００４２】
この判断処理の結果、選定されているフォーマット情報が、実装されているチューナ１４に対応しているものであった場合は（ステップＳ１２のＹ）、フォーマット情報が適切に選定されているにも関わらず、画像情報もしくは音響信号が適切に取得されていないことになる。つまり、フォーマット情報の選定内容以外に、何らかの問題が生じていると考えられる。そこでこの場合、出力部１７を通じてＨＥＬＰ情報を表示することとする（ステップＳ１３）。
【００４３】
このＨＥＬＰ情報の表示は、現状の説明や、ガイダンス情報（例えば、現状への対応として、アンテナ１５の端子が受信装置本体から抜けていないかのチェックを、ユーザに促すような情報など）をユーザに提供するもの等が考えられる。なお出力形態としては、映像出力の他、音声出力によるものとしてもよい。
【００４４】
またステップＳ１２の処理において、選定されているフォーマット情報が、実装されているチューナ１４に対応していないものであった場合は（ステップＳ１２のＮ）、実装されているチューナ１４に対応しているフォーマット情報が、メモリ部１３に記憶されているフォーマット情報群の中に存在しているか否かを判断する（ステップＳ１４）。
【００４５】
この判断の結果、実装されているチューナ１４に対応しているフォーマット情報が存在していない場合は（ステップＳ１４のＮ）、本受信装置１では対応できないチューナが、誤って受信装置１に実装されていると考えられる。そこでこの場合、この旨をユーザに報知するために、出力部１７を通じてＴＵＮＥＲエラー情報を表示する（ステップＳ１５）。
【００４６】
ＴＵＮＥＲエラー情報としては、現状の説明や、ガイダンス情報（例えば、現状への対応として、実装中のチューナを受信装置１に適合するものに取り替えるよう、ユーザに促すような情報など）をユーザに提供するもの等が考えられる。また出力形態としては、ステップＳ１３の場合と同様、音声出力によるものであってもよい。
【００４７】
またステップＳ１４の処理の結果、実装されているチューナ１４に対応しているフォーマット情報が存在している場合は（ステップＳ１４のＹ）、選定するフォーマット情報を、実装されているチューナ１４に対応しているものに更新する（ステップＳ１６）。つまり、メモリ部１３における選定フォーマット情報記憶部の内容を、適切に書き換えることとする。
【００４８】
かかる処理により、ステップＳ１１における不具合が、単に、誤ったフォーマット情報を選定していたことに起因するものであった場合は、この不具合を解消することができる。そこでステップＳ１６の処理を実行した後は、フォーマット情報管理部は、ステップＳ１１の処理に戻ることとする。
【００４９】
以上に説明したように本受信装置１では、映像情報等が適切に取得されていないことを検知したときには（ステップＳ１１）、選定されているフォーマット情報がチューナに対応している場合（ステップＳ１２のＹ）、現状では対応していないがフォーマット情報群に対応するものが存在する場合（ステップＳ１４のＹ）、および、チューナに対応しているフォーマット情報がそもそもフォーマット情報群に存在しない場合（ステップＳ１４のＮ）の各々のケースに応じて、適切な処理を行うことが可能となっている。なお、ステップＳ１４の処理は、ステップＳ１２の処理の前に行うようにしても良い。
【００５０】
また本実施例では、Ｓ１２以降の処理を開始するタイミングを、信号処理部１６において映像情報等が適切に取得されていないと判断された場合（ステップＳ１１のＮ）としているが、他のタイミングで開始するものとしても良い。例えば、受信装置１の電源のＯＮ／ＯＦＦを切替えたときや、ユーザによる指示（ボタン操作など）があったときに開始するもの、もしくは、所定の周期ごとに定期的に開始するもの等が挙げられる。この場合にフォーマット情報管理部１８が行う処理の一例について、図４に示すフローチャートを参照しながら説明する。
【００５１】
まずフォーマット情報管理部１８は、現在選定されているフォーマット情報が、実装されているチューナ１４に対応しているか否かを判別する処理（自動判別処理）を実行する（ステップＳ２１）。なおこの処理の内容は、ステップＳ１２と基本的に同様であるため、その詳細な説明は省略する。
【００５２】
そしてかかる処理の結果、対応していると判別された場合は（ステップＳ２１のＹ）、選定されているフォーマット情報は適正であるため、フォーマット情報管理部１８は処理を終了する。しかし対応していないと判別された場合は（ステップＳ２１のＮ）、実装されているチューナ１４に対応しているフォーマット情報が、メモリ部１３に記憶されているフォーマット情報群の中に存在しているか否かを判断する（ステップＳ２２）。なおこの処理の内容は、ステップＳ１４と基本的に同様であるため、その詳細な説明は省略する。
【００５３】
この処理において、存在していないと判断された場合は（ステップＳ２２のＮ）、本受信装置１で対応できないチューナが、誤って取り付けられていると認められる。そこでこの場合、ステップＳ１５と同様に、ＴＵＮＥＲエラー情報の表示を行う（ステップＳ２３）。また逆に、存在していると判断された場合は（ステップＳ２２のＹ）、選定内容を適切に更新することが可能である。そこでこの場合、ステップＳ１６と同様に、選定内容の更新を実行する。
【００５４】
このような一連の処理により、選定されているフォーマット情報がチューナに対応している場合（ステップＳ２１のＹ）、現状では対応していないがフォーマット情報群に対応するものが存在する場合（ステップＳ２２のＹ）、および、チューナに対応しているフォーマット情報がそもそもフォーマット情報群に存在しない場合（ステップＳ２２のＮ）の各々のケースに応じて、適切な処理を行うことが可能となる。なお、ステップＳ２２の処理は、ステップＳ２１の処理の前に行うようにしても良い。
【００５５】
上述の通り、本発明の実施形態について説明したが、本発明はこれに限定されるものではなく、本発明の主旨を逸脱しない範囲で種々の変更が可能である。また受信装置としてテレビ放送受信装置を一例に挙げたが、本発明は、チューナを用いる受信装置全般に適用可能である。
【産業上の利用可能性】
【００５６】
本発明は、チューナを内蔵したテレビ放送受信装置などに関して有用である。
【図面の簡単な説明】
【００５７】
【図１】本発明の実施例に係る、受信装置の構成図である。
【図２】メモリ部の内容を模式的に示した説明図である。
【図３】フォーマット情報管理部の処理に係る、流れ図の一例である。
【図４】フォーマット情報管理部の処理に係る、流れ図の一例である。
【図５】従来技術に係る、受信装置の構成図である。
【符号の説明】
【００５８】
１    受信装置（テレビ放送受信装置）
１１    操作部（指示情報取得部）
１２    変換部
１３    メモリ部
１４    チューナ
１５    アンテナ
１６    信号処理部
１７    出力部
１８    フォーマット情報管理部
２１    フォーマット情報群記憶部（第１記憶部）
２２    選定フォーマット情報記憶部（第２記憶部）
【図１】
2008078707.tif 000003
【図２】
2008078707.tif 000004
【図３】
2008078707.tif 000005
【図４】
2008078707.tif 000006
【図５】
2008078707.tif 000007